(57)【要約】【課題】切片作製や組織学的染色、特殊な技術を必要とすることなく、個体での解析が可能な視床−皮質軸索、大脳皮質の発達、当該発達に影響を及ぼす薬剤や遺伝子の探索及び評価が可能なモデルの提供。【解決手段】視床−皮質軸索において、セロトニントランスポーターのプロモーター制御下で膜移行型ＥＧＦＰを発現するトランスジェニックマウス。【選択図】なし【特許請求の範囲】
【請求項１】
視床−皮質軸索において、セロトニントランスポーターのプロモーター制御下で膜移行型ＥＧＦＰを発現するトランスジェニックマウス。
【請求項２】
大腸菌由来人工染色体クローン上のセロトニントランスポーター遺伝子のプロモーターの下流に膜移行性シグナル遺伝子とＥＧＦＰ遺伝子の融合体を挿入したクローンを導入したものである請求項１記載のトランスジェニックマウス。
【請求項３】
膜移行性シグナル遺伝子が、ＧＡＰ４３遺伝子である請求項２記載のトランスジェニックマウス。
【請求項４】
大腸菌由来人工染色体クローンが、ＲＰ２３−３９Ｆ１１である請求項２又は３記載のトランスジェニックマウス。
【請求項５】
受精卵に、大腸菌由来人工染色体クローン上のセロトニントランスポーター遺伝子のプロモーターの下流に膜移行性シグナル遺伝子とＥＧＦＰ遺伝子の融合体を挿入したクローンを導入することを特徴とする請求項１記載のトランスジェニックマウスの作製方法。
【請求項６】
膜移行性シグナル遺伝子が、ＧＡＰ遺伝子である請求項４記載のトランスジェニックマウスの作製方法。
【請求項７】
大腸菌由来人工染色体クローンが、ＲＰ２３−３９Ｆ１１である請求項５又は６記載のトランスジェニックマウスの作製方法。
【発明の詳細な説明】
【技術分野】
【０００１】
本発明は、視床−皮質軸索の発達を検討可能なトランスジェニックマウス及びその作製方法に関する。
【背景技術】
【０００２】
大脳皮質は、大脳の表面に広がる、神経細胞の細胞体の密な灰白質の薄い層であり、知覚、随意運動、思考、推理、記憶など脳の高次機能を司る。一方、視床は、間脳の一部を占める部位であり、嗅覚を除く、視覚、聴覚、体性感覚などの感覚入力を大脳新皮質へ中継する重要な役割を担っている。
【０００３】
外界からの刺激を大脳皮質に伝える最も主要な経路である視床−皮質軸索の発達、大脳皮質の発達、感覚野の機能に影響する薬剤や遺伝子の探索や評価には、従来、視床−皮質軸索、大脳皮質領域、あるいは、層特異的マーカーを用いた免疫組織化学などの方法が用いられてきた（非特許文献１）。本方法は、切片作製や染色を必要としないことから、個体での解析、サンプル調製（例えば領域特異的ＤＮＡ、ＲＮＡ、蛋白質などの調製）に適している。
また、視床−皮質軸索の発達の評価には、従来、トレーサー注入あるいは電気穿孔法やウイルスを用いた遺伝子導入により軸索を標識すること、あるいは、視床-皮質軸索特異的マーカーによる免疫組織化学の手法による標識が行われてきた（非特許文献２）。
【先行技術文献】
【非特許文献】
【０００４】
【非特許文献１】Neuron 79, 970-986, September 4, 2013
【非特許文献２】Neuron 19, 1201-1210, December, 1997
【発明の概要】
【発明が解決しようとする課題】
【０００５】
しかしながら、これら従来の方法では、実験ごとのばらつきが大きい、細胞種特異的が得られにくい（トレーサーでは不可能）、技術の習熟が要求される、手術を要するため動物の負担が大きいなどの問題を有していた。
【０００６】
従って、本発明の課題は、切片作製や組織学的染色、特殊な技術を必要とすることなく、個体での解析が可能な視床−皮質軸索、大脳皮質の発達、当該発達に影響を及ぼす薬剤や遺伝子の探索及び評価が可能なモデルを提供することにある。
【課題を解決するための手段】
【０００７】
そこで本発明者は、外界からの刺激を大脳に伝える最も主要な経路である視床−皮質軸索を選択的に標識する手段を開発すべく検討したところ、大腸菌由来人工染色体であるＢＡＣクローン上のセロトニントランスポーターのプロモーターの下流に膜移行性シグナル遺伝子とＥＧＦＰ遺伝子の融合体を挿入したＢＡＣクローンを作製し、これを受精卵にマイクロインジェクションすることにより、視床−皮質軸索において選択的にＥＧＦＰが発現するトランスジェニックマウスが得られ、当該トランスジェニックマウスは視床−皮質軸索が蛍光標識できるため、視床−皮質軸索の発達及び大脳皮質の発達状態が経時的に解析可能であることを見出し、本発明を完成した。
【０００８】
すなわち、本発明は、以下の〔１〕〜〔７〕を提供するものである。
〔１〕視床−皮質軸索において、セロトニントランスポーターのプロモーター制御下で膜移行型ＥＧＦＰを発現するトランスジェニックマウス。
〔２〕大腸菌由来人工染色体クローン上のセロトニントランスポーター遺伝子のプロモーターの下流に膜移行性シグナル遺伝子とＥＧＦＰ遺伝子の融合体を挿入したクローンを導入したものである〔１〕記載のトランスジェニックマウス。
〔３〕膜移行性シグナル遺伝子が、ＧＡＰ４３遺伝子である〔２〕記載のトランスジェニックマウス。
〔４〕大腸菌由来人工染色体クローンが、ＲＰ２３−３９Ｆ１１クローンである〔２〕又は〔３〕記載のトランスジェニックマウス。
〔５〕受精卵に、大腸菌由来人工染色体クローン上のセロトニントランスポーター遺伝子のプロモーターの下流に膜移行性シグナル遺伝子とＥＧＦＰ遺伝子の融合体を挿入したクローンを導入することを特徴とする〔１〕記載のトランスジェニックマウスの作製方法。
〔６〕膜移行性シグナル遺伝子が、ＧＡＰ４３遺伝子である〔５〕記載のトランスジェニックマウスの作製方法。
〔７〕大腸菌由来人工染色体クローンが、ＲＰ２３−３９Ｆ１１クローンである〔５〕又は〔６〕記載のトランスジェニックマウスの作製方法。
【発明の効果】
【０００９】
本発明のトランスジェニックマウスは、発達期の感覚系の視床神経核及びセロトニン神経で発現する遺伝子であるセロトニントランスポーターのプロモーターの制御下でＥＧＦＰが発現するため、視床−皮質軸索、及び大脳皮質の領野（感覚野）や層構造（第４層と第６層）を蛍光標識できることから、大脳皮質の領野や層の形成の評価に適している。また、切片作製や組織学的染色を必要とせず生体で体性感覚野、視覚野、聴覚野を明るく蛍光標識できることから、感覚野からのサンプル調製（ＤＮＡ，ＲＮＡ，蛋白質）にも適している。
【図面の簡単な説明】
【００１０】
【図１】ＢＡＣへの遺伝子導入コンストラクトを示す図である。
【図２】生後７日目のトランスジェニックマウスの摘出脳標本で蛍光観察されたバレル地図を示す（Ｂ）。Ｃは、脳領域の説明図である。Ｓ１、一次体性感覚野；Ｖ１、一次視覚野；Ａ１、一次聴覚野；ＯＢ、嗅球；ＳＣ、上丘；ＩＣ、下丘；Ｃｂ、小脳。
【図３】生後２日（Ｐ２）から１６日（Ｐ１６）までの、大脳皮質の蛍光像を示す。
【図４】生後７日のトランスジェニックマウスより作成された脳切片標本（thalamocortical section(A); tangential section (B)）を示す。ＶＰＭ、後内側腹側核；ＶＰＬ、後外側腹側核；ＬＧＮ、外側膝状体；Ｃｘ、大脳皮質；Ｈｐ、海馬。
【発明を実施するための形態】
【００１１】
本発明のトランスジェニックマウスは、視床−皮質軸索において、セロトニントランスポーターのプロモーターの制御下で膜移行型ＥＧＦＰを発現するマウスである。当該マウスと同様の性質をもったマウスは、マウスの受精卵に、大腸菌由来人工染色体（ＢＡＣ）クローンのセロトニントランスポーター遺伝子のプロモーターの下流に膜移行性シグナル遺伝子とＥＧＦＰ遺伝子の融合体を挿入したクローンを導入することにより作製することができる。
【００１２】
マウスとしては、特に制限はなく、通常実験動物として使用される系統のマウスであればよい。
【００１３】
ＢＡＣクローンとしては、ＲＰ２３−３９Ｆ１１を用いるのが好ましい。
【００１４】
ＢＡＣクローンに導入する遺伝子は、膜移行性シグナル遺伝子及びＥＧＦＰ遺伝子の融合体である。膜移行性シグナル遺伝子としては、ＧＡＰ４３遺伝子が好ましい。ＧＡＰ４３遺伝子とＥＧＦＰ遺伝子を連結して、ＢＡＣクローンに導入する。
【００１５】
ＧＡＰ４３遺伝子とＥＧＦＰ遺伝子を挿入する部位は、セロトニントランスポーターの翻訳開始点付近である。セロトニントランスポーターは、発達期の感覚系の視床神経核及びセロトニン神経で発現するため、この遺伝子のプロモーター制御下に膜移行型ＥＧＦＰ遺伝子を挿入すれば、視床−皮質軸索で発現する。
【００１６】
得られた組み換えＢＡＣを、大腸菌中で増幅し、得られたＢＡＣクローンを線状化しマウスの受精卵にマイクロインジェクションする。当該受精卵を雌マウスの子宮に着床させ、出生させれば、目的のトランスジェニックマウスが得られる。
得られたトランスジェニックマウスを交配させれば、次世代でヘテロ接合型マウス及びホモ接合型マウスを作製することができる。
【００１７】
得られた本発明のトランスジェニックマウスは、生後から大脳皮質の発達に伴い、視床−皮質軸索にＥＧＦＰが発現し、視床−皮質軸索、大脳皮質が蛍光標識されるので、大脳皮質発達状態、層構造の発達、感覚野の機能等が評価できる。また、種々の薬剤及び遺伝子の視床−皮質軸索、大脳皮質の発達に対する影響も評価できる。また、必要に応じて、大脳皮質の発達段階の蛍光識別組織切片も作用可能である。
【実施例】
【００１８】
次に実施例を挙げて本発明を詳細に説明する。
【００１９】
実施例１
図１のように、トランスジェニックコンストラクトは、Ｂ６マウスゲノム由来ＢＡＣクローンＲＰ２３−３９Ｆ１１の改変により作成した。膜移行ＧＡＰ４３シグナル配列（Moriyoshi et al., Neuron 1996(2); 255-260）は２つの一本鎖ＤＮＡ（Ｆ−ＧＡＰ、Ｒ−ＧＡＰ）のアニーリングにより作成した。開始コドン削除ＥＧＦＰをＦ−ＥＧＦＰとＲ−ＥＧＦＰのプライマー対を用いてｐＥＧＦ−Ｎ１（クロンテック社）から増幅した。増幅物は、ｐＥＧＦＰ−Ｎ１ベクターのＮｈｅ／ＢａｍＨＩサイトとＢａｍＨＩ／ＮｏｔＩを連結した。得られたベクター中のＧＡＰ４３−ＥＧＦＰ−ｐＡ配列を、ＡｓｅＩ／ＡｆｔIIで切除し、平滑末端ライゲーションでｐＳ１２０ベクターのＳｐｅＩサイトに挿入した。得られたＧＡＰ４３−ＥＧＦＰ−ｐＡ−Ａｍｐ−ＦＲＴ配列をＦ−カセット及びＲ−カセットプライマーペアで増幅し、Ｒｅｄ／ＥＴシステムでＢＡＣ組み換えを行った。ＢＡＣコンストラクト中のＦＲＴ−Ａｍｐ−ＦＲＴ配列を大腸菌中のｆｌｐ／ＦＲＹ組み換えで削除した。トランスジェニックファウンダーマウスは鎖状ＤＮＡコンストラクトのＢ６マウス受精卵へのマイクロインジェクションにより作成した。得られた受精卵を雌マウスの子宮に導入して、出産させてトランスジェニックマウスを作製した。
【００２０】
得られたマウスラインのうちライン♯４０では、出生直後において、一次感覚野および一次感覚野に対応する視床核に限局した強いＥＧＦＰの発現が認められた（図２Ｂ、図２Ｃ）。このマウスラインでは、切片を作製することなしにバレル地図の観察を行うことが可能であった（図２）。
【００２１】
実施例２
得られたトランスジェニックマウスの出生２〜１６日後の大脳皮質蛍光像を示す（図３）。図３より、大脳皮質の層形成が明確に観察できる。
【００２２】
実施例３
生後７日齢のトランスジェニックマウスの脳切片標本を図４に示す。図４より、ＥＧＦＰが感覚系視床神経核（ＬＧＮ，ＶＰＭ，ＶＰＬ）から大脳皮質（Ｃｘ）に伸びる軸索上に発現していることがわかる。
【図１】
2015165780.tif 000002
【図２】
2015165780.tif 000003
【図３】
2015165780.tif 000004
【図４】
2015165780.tif 000005